(57)【要約】【課題】  撮像装置とファイルサーバーとの間の通信が正常に行えるか否かを確認できるようにする。【解決手段】  撮像装置にｐｉｎｇコマンド送信機能を設け、例えばシャッターボタンの操作によりファイルサーバーへｐｉｎｇコマンドの送信を行って、その結果を表示する。それにより、ファイルサーバーとの通信が正常に行えるかどうかを確認可能とする。【選択図】  図２
2006086654.tif 000002
【特許請求の範囲】
【請求項１】
コンピュータネットワーク上のファイルサーバーへ撮影画像を転送する機能を有する撮像装置において、
前記ファイルサーバーとの通信設定を保持する記憶手段と、
前記通信設定に従って前記ファイルサーバーと通信を行う通信手段とを有し、
前記通信手段が、前記ファイルサーバーに対してｐｉｎｇコマンドの送信を行う機能を有することを特徴とする撮像装置。
【請求項２】
ユーザが前記撮像装置に各種設定や指示を行うための、シャッターボタンを含む操作手段を有し、
前記通信手段が、前記シャッターボタンによる指示に応答して前記ｐｉｎｇコマンドの送信を行うことを特徴とする請求項１記載の撮像装置。
【請求項３】
前記通信手段が、前記撮像装置の起動時又は前記通信設定内容に変更が生じた場合に、前記ファイルサーバーに対するｐｉｎｇコマンドの送信を行うことを特徴とする請求項１又は請求項２記載の撮像装置。
【請求項４】
前記通信設定に前記ファイルサーバーが複数設定されており、前記撮像装置の起動時又は前記通信設定内容に変更が生じた場合に行った前記ｐｉｎｇコマンドの送信の結果が不成功であった場合、前記通信手段が、前記複数のファイルサーバーに順次ｐｉｎｇコマンドの送信を行い、接続可能なファイルサーバーを探索することを特徴とする請求項３記載の撮像装置。
【請求項５】
さらに、前記撮影画像を記録可能な記録媒体を有し、
前記ｐｉｎｇコマンドの送信の結果、パケット損失率が０％で無い場合には、前記撮影画像を少なくとも前記記録媒体へ記録するよう警告する警告手段をさらに有することを特徴とする請求項１乃至請求項４のいずれか１項に記載の撮像装置。
【請求項６】
前記撮像装置が撮影優先モードに設定されている場合、前記通信手段が、ｐｉｎｇコマンドの送信処理中であっても撮影動作を優先することを特徴とする請求項１乃至請求項５のいずれか１項に記載の撮像装置。
【発明の詳細な説明】
【技術分野】
【０００１】
本発明は、デジタルカメラ、デジタルビデオカメラなど撮像装置に関し、特に有線ＬＡＮあるいは無線ＬＡＮなどコンピュータネットワークとの通信機能を搭載した撮像装置に関する。
【背景技術】
【０００２】
近年、ＩＥＥＥ８０２．１１ｘやＢｌｕｅｔｏｏｔｈを代表とする無線通信規格に準拠した製品が数多く市販され、またホットスポットと呼ばれる無線基地局が繁華街や店舗などに設定されたりしている。
【０００３】
このような無線ＬＡＮ技術の普及に伴い、撮影した画像を無線ＬＡＮを介してファイルサーバーに保存することで、記録媒体の容量を気にすることなく撮影を可能としようとするデジタルカメラが提案されている（例えば、特許文献１）。
【０００４】
【特許文献１】特開２００３−２８３９００号公報
【発明の開示】
【発明が解決しようとする課題】
【０００５】
しかしながら、特許文献１に記載のデジタルカメラでは、撮影前にデジタルカメラとファイルサーバーとの通信が正常に行えるか否かをデジタルカメラで確認することができない。そのため、デジタルカメラとファイルサーバーとの間の通信が正常に行うことができないにもかかわらず、デジタル画像を撮影してしまい、せっかく撮影したデジタル画像をファイルサーバーに正常に保存することができないということが発生する。特に、デジタルカメラとファイルサーバーとの間に無線ＬＡＮが存在する場合には通信回線が不安定となることが多く、デジタルカメラとファイルサーバーとの通信が正常に行えないことが多い。
【０００６】
本発明は、このような従来技術の課題に鑑みなされたものであり、コンピュータネットワーク上のファイルサーバーへ撮影画像を転送する機能を有する撮像装置（デジタルカメラやデジタルビデオカメラなど）において、撮像装置とファイルサーバーとの間の通信が正常に行えるか否かを確認できるようにすることを目的とする。
【課題を解決するための手段】
【０００７】
上述の目的は、コンピュータネットワーク上のファイルサーバーへ撮影画像を転送する機能を有する撮像装置において、ファイルサーバーとの通信設定を保持する記憶手段と、通信設定に従ってファイルサーバーと通信を行う通信手段とを有し、通信手段が、ファイルサーバーに対してｐｉｎｇコマンドの送信を行う機能を有することを特徴とする撮像装置によって達成される。
【発明の効果】
【０００８】
本発明によれば、撮像装置とファイルサーバーとの間の通信回線の状態が撮像装置において確認可能となる。
【発明を実施するための最良の形態】
【０００９】
以下、添付図面を参照して本発明をその好適な実施形態に基づき詳細に説明する。
図１は、本発明の実施形態に係る撮像装置の一例としてのデジタルカメラ１０の構成の一例を示すブロック図である。
【００１０】
撮像部１０１は、シャッターボタンが全押し状態にされた場合、撮像素子（ＣＣＤイメージセンサー、ＣＭＯＳイメージセンサー等）によって受光された光を電気信号に変換し、その電気信号をデジタル化してデジタル画像を生成し、生成したデジタル画像を第１バッファメモリ１０２に格納する。シャッターボタンを全押し状態にし続けた場合、撮像部１０１は、第１バッファメモリ１０２がフルになるまでデジタル画像を撮影し続ける。第１バッファメモリ１０２は、複数のデジタル画像を記憶する容量を有する。
【００１１】
画像処理部１０３は、第１バッファメモリ１０２からデジタル画像を読み出し、そのデジタル画像に現像処理を施す。現像処理には、ホワイトバランスの調整、シャープネスの調整、コントラストの調整、色空間の調整、解像度の調整等が含まれる。現像処理は、ユーザによる設定が可能である。
【００１２】
圧縮伸長部１０４は、画像処理部１０３で処理されたデジタル画像をＪＰＥＧ、ＪＰＥＧ２０００等の画像圧縮方法に従って圧縮する機能と、圧縮されたデジタル画像を伸長する機能とを有する。圧縮率は、ユーザによる設定が可能である。
【００１３】
メイン制御部１０８は、不揮発性メモリ１１０内の制御プログラムに従ってデジタルカメラ１０を制御するマイクロコンピュータを有する。また、メイン制御部１０８は、圧縮伸長部１０４で圧縮されたデジタル画像とそのデジタル画像の付加情報とを含む画像ファイルを生成し、生成した画像ファイルを第２バッファメモリ１０５に格納する機能を有する。付加情報には、デジタル画像に関する情報、デジタルカメラ１０に関する情報、デジタル画像のサムネイル等が含まれる。第２バッファメモリ１０５は、複数の画像ファイルを記憶する容量を有する。また、メイン制御部１０８は、デジタルカメラ１０の動作モードをパワーオンモード又はパワーセーブモードに変更する機能を有する。
【００１４】
表示部１０６は、液晶表示器等の表示器を有し、その表示器に様々な情報を表示する。表示部１０６は、デジタルカメラ１０に関する情報を表示する機能と、撮影されたデジタル画像の縮小画像を表示する機能と、記憶媒体２０に保存されたデジタル画像の縮小画像を表示する機能等を有する。記憶媒体２０に保存されたデジタル画像の縮小画像を表示する場合にはそのデジタル画像に関する情報も表示することができる。また、表示部１０６は、設定メニュー等のグラフィカルユーザインターフェースを提供する機能を有する。
【００１５】
記憶媒体インターフェース１０７は、第２バッファメモリ１０５に格納された画像ファイルを記憶媒体２０に書き込む機能と、記憶媒体２０に保存された画像ファイルを記憶媒体２０から読み出して第２バッファメモリ１０５に書き込む機能とを有する。記憶媒体２０は、メモリカード（不揮発性メモリを内蔵したカード状の記憶媒体）、ハードディスク装置等の記憶媒体であり、デジタルカメラ１０に装着することも、デジタルカメラ１０から取り外すこともできる。
【００１６】
操作部１０９は、デジタルカメラ１０を操作するためのユーザインターフェースであり、デジタルカメラ１０の電源をオン又はオフするための電源スイッチ、撮影の開始を指示するためのシャッターボタン、表示部１０６に設定メニューを表示するためのメニューボタン、表示部１０６に表示されたカーソルを上下左右に移動するための十字ボタン、カーソルが選択している画像又は項目を選択する選択ボタン等を有する。シャッターボタンには、半押し状態と全押し状態とがある。シャッターボタンが半押し状態にされると、デジタルカメラ１０はＡＦ、ＡＥ等を実行し、シャッターボタンが全押し状態にされると、デジタルカメラ１０はデジタル画像の撮影を実行する。
【００１７】
不揮発性メモリ１１０には、デジタルカメラ１０を制御するための制御プログラム、デジタルカメラ１０に関する情報等が記憶されている。また、不揮発性メモリ１１０には、ｐｉｎｇモードに関する情報、ファイルサーバー３０に関する情報等が記憶されている。ここで、ｐｉｎｇモードに関する情報には、送信回数、送信先アドレス等を示す情報が含まれている。また、不揮発性メモリ１１０には、表示部１０６に表示される設定メニューの画像データも記憶されている。
【００１８】
ネットワークインターフェース１１１は、有線ＬＡＮ、ＩＥＥＥ８０２．１１ａ、ＩＥＥＥ８０２．１１ｂ、ＩＥＥＥ８０２．１１ｇ等に準拠した無線ＬＡＮ等に準拠したものであり、第２バッファメモリ１０５に格納された画像ファイルをコンピュータネットワーク４０上のファイルサーバー３０（ＦＴＰサーバー等）に転送する。ｐｉｎｇコマンドは、ネットワークインターフェース１１１から送信される。
【００１９】
図２は、本実施形態のデジタルカメラ１０において、ｐｉｎｇ機能の設定を行うためのｐｉｎｇ設定メニューの例を示す図である。ｐｉｎｇ設定メニュー２００は例えばユーザが操作部１０９に含まれるメニューボタンと十字ボタンとを用いて周知の階層メニューからｐｉｎｇ設定を選択、実行した場合に、メイン制御部１０８が表示部１０６に表示させる。
【００２０】
ｐｉｎｇ設定メニュー２００には、ｐｉｎｇコマンドの送信先アドレスを入力するアドレス入力ボックス２１０と、ｐｉｎｇコマンドの送信回数を指定する送信回数入力ボックス２１１とを有する。ｐｉｎｇコマンドの送信回数は例えば図に示すように１回から無限回までをリストボックス２１２から選択可能に構成しても良いし、直接操作部１０９のキーボードから回数を入力する用に構成しても良い。なお、図２におけるアドレス入力ボックス２１０はＩＰｖ４形式のＩＰアドレスを入力するものとして記載されているが、ＩＰｖ６形式のアドレスを入力可能に構成しても良い。
【００２１】
ＯＮボタン２５０及びＯＦＦボタン２６０は、ｐｉｎｇモードとするかどうかを設定するためのボタンであり、操作部１０９の十字ボタンを用いて選択状態とし、選択／実行キーを押下することでＯＮ、ＯＦＦいずれかを指定する。また、ｐｉｎｇコマンドの送信を行った場合には、その結果を示すメッセージ２３０として、指定されたＩＰアドレスから応答があったかどうか、またその失敗率がどの程度であったかの表示が行われる。
【００２２】
なお、図２には示していないが、これ以外の設定項目を設けても良い。例えば、ＤＮＳサーバーなどにｐｉｎｇコマンドを送信するか否かを設定するための項目、デジタルカメラ２０の電源がオンされたときにｐｉｎｇコマンドを自動的に送信するか否かを設定するための項目、ファイルサーバー３０を含む複数のファイルサーバーにｐｉｎｇコマンドを順次送信するか否かを設定するための項目等を設けてもよい。
【００２３】
例えば、ユーザが、ネットワークインターフェース１１１による通信機能が使用可能となるように、通信に必要な設定項目を図示しない設定メニューから設定した後、図２のｐｉｎｇ設定メニュー２００で送信先アドレスを入力し、ＯＮボタン２５０を選択、実行するとｐｉｎｇモードに入る。本実施形態では、ｐｉｎｇモードにおいて、操作部１０９に含まれるシャッターボタンが押下（半押し、全押しのいずれであっても良い）されると、メイン制御部１０８はｐｉｎｇ設定メニュー２００で設定された送信回数、設定された送信先アドレスへｐｉｎｇコマンドを送信し続ける。メイン制御部１０８は、ｐｉｎｇコマンドの送信中にリアルタイムに送信結果を、又は送信処理を終了してから最終的な結果のみを、ｐｉｎｇ設定メニュー２００にメッセージ２３０として表示してもよい。
【００２４】
ｐｉｎｇ設定メニュー２００でｐｉｎｇコマンドの送信回数が設定されている場合、メイン制御部１０８は、シャッターボタンの押下に応答して、設定されている回数だけｐｉｎｇコマンドを送信する。その場合はシャッターボタンを押し続けても設定回数分しか送信しない。また、設定回数が無制限を意味するものである場合、シャッターボタンを一回押すとその後中止又はキャンセル指示があるまでｐｉｎｇコマンドを所定時間間隔で送信し続ける。
【００２５】
図３は、送信回数の設定内容とシャッターボタンとの関係を示す図である。
例えば、ｐｉｎｇコマンドの送信回数が有限回数に設定されている場合（図３では３回に設定されているものとする）には、シャッターボタンがＯＮにされたときにｐｉｎｇコマンドの送信が開始され、シャッターボタンがＯＮである間、所定時間間隔でｐｉｎｇコマンドの送信を行う。本実施形態では、シャッターボタンが半押し状態又は全押し状態になったときにシャッターボタンをＯＮにする。そして、設定回数分のｐｉｎｇコマンドの送信が終了すると（時刻Ｔ１）、ｐｉｎｇモードを解除し、処理を終了する。一方、送信回数が「無限」に設定された場合には、シャッターボタンがＯＮになるとｐｉｎｇコマンドの送信を開始し、ＯＮである間、所定時間間隔でｐｉｎｇコマンドの送信を行う点は同じだが、その後シャッターボタンが時刻Ｔ２でＯＦＦしてもｐｉｎｇコマンドの送信を継続する。そして、再度シャッターボタンがＯＮすると（時刻Ｔ３）、それによりｐｉｎｇコマンドの送信を終了し、ｐｉｎｇモードを解除する。
【００２６】
また、撮影優先に設定されている場合には、設定回数が有限回数か無限であるかによらず、ｐｉｎｇモードでシャッターボタンがＯＮの状態でｐｉｎｇコマンドの送信をしつづけている場合に、一回シャッターボタンを放すと、設定回数分のｐｉｎｇコマンドの送信が終了していなくてもｐｉｎｇモードはキャンセルされ、次のシャッターボタン押下時には撮影動作を行って撮影動作を優先する。
【００２７】
図４は、撮影優先設定の有無とｐｉｎｇ機能の動作の関係を説明するフローチャートである。
ｐｉｎｇモード状態において、シャッターボタンがＯＮされたかどうかを判定し（Ｓ４０１）、ＯＮが検出されるとｐｉｎｇコマンドの送信を開始する（Ｓ４０３）。有限回数の送信が設定されており、設定回数分のｐｉｎｇコマンドの送信が終了した場合には（Ｓ４０５、Ｙ）、ｐｉｎｇモードを解除し（Ｓ４１１）、処理を終了する。無限回数の送信が設定されている場合、又は設定回数分のｐｉｎｇコマンドの送信が終了していない場合には、Ｓ４０７でｐｉｎｇコマンドの送信の中断操作がなされたかどうかをＳ４０７で判定する。ここで、中断操作とはシャッターボタンのＯＦＦである。
【００２８】
中断操作が検出された場合、Ｓ４０９で、撮影優先設定の有無をチェックする。撮影優先設定がなされている場合には、送信設定回数が有限回数であるか、無限回数であるかに関わらず、ｐｉｎｇモードを解除し（Ｓ４１１）、処理を終了する。
【００２９】
一方、撮影優先設定がなされていない場合、送信回数が無限回数の設定であれば、図３で説明したようにそのままｐｉｎｇコマンドの送信を継続する。また、有限送信回数が設定されている場合にはｐｉｎｇコマンドの送信を中断し（Ｓ４１３）、ｐｉｎｇコマンドの送信再開の指示（シャッターボタンのＯＮ）が検出されるまで待機する（Ｓ４１５）。そして、再開操作が検出されればＳ４０３へ戻ってｐｉｎｇコマンドの送信を再開する。
【００３０】
撮影機能を優先するかｐｉｎｇ機能を優先するかはデジタルカメラ１０の設定項目で選択可能であってもシステムで一意に決定されていても良い。
【００３１】
なお、本実施形態に係るデジタルカメラ１０に対する設定項目は、図２に示したようなＧＵＩなどを利用し、デジタルカメラ１０の操作部１０９を操作して設定する以外に、例えばＰＣのアプリケーションソフトを用いて設定内容を作成し、リムーバブルな記憶媒体２０に設定内容を書き込んでおき、この記憶媒体２０に記録された設定内容をデジタルカメラ１０が読み込んで設定項目を反映してもよい。また、ネットワークインターフェース１１１から設定ファイルを取得し、その内容を設定項目を反映しても良い。
【００３２】
また、シャッターボタンの状態によってｐｉｎｇコマンドの送信を行う以外に、他のタイミングでｐｉｎｇコマンドの送信を行っても良い。例えば、起動時に、データ通信機能を使用するかどうかの設定をチェックし、通信機能を使用設定がなされている場合は、その時点で自動的にｐｉｎｇコマンドを送信して、接続確認をするように構成しても良い。そして、もし接続判定が合格の場合には相手先と接続可能なことを表示しても良いし、また不合格の場合のみ使用者に警告表示してもよい。
【００３３】
また、他のｐｉｎｇコマンドの送信タイミングとして、使用者が通信接続相手に関するデータを変更した場合、例えば相手先ＩＰアドレスやＳＳＩＤ、暗号化に関する鍵、ＦＴＰサーバーのアドレスやログイン名、パスワード、ＤＮＳアドレス、プロキシサーバーアドレスなど送信相手先との接続に関係の深いデータが変更された場合にｐｉｎｇコマンドの送信を自動的に行っても良い。また、記憶媒体２０に保存された通信設定データを読み込んでその内容をデジタルカメラ１０の設定データに反映するように指示された際に、設定更新後自動的に送信先アドレスにｐｉｎｇコマンドを送信し、接続性の確認をするようにしてもよい。
その際も接続が可能かどうかの判定結果により使用者に警告をすることで現在の接続に関する情報を通知しても良い。
【００３４】
デジタルカメラ１０の通信設定機能として、ファイルサーバーが複数設定でき、ｐｉｎｇコマンドの送信を起動時あるいは設定変更時に自動的に実行することを許可している場合には、ｐｉｎｇコマンドの送信の結果から、設定されている複数のサーバーアドレスに順次ｐｉｎｇコマンドの送信を行うことで、現在の通信状況下で接続可能なファイルサーバーを探索するようにしても良い。その場合はユーザに単純に接続可能を通知しても、ファイルサーバーのＩＰアドレスを表示して通知しても良い。設定している送信先のサーバーのいずれとも接続が不可能な場合はその旨を使用者に通知する。また、最優先ファイルサーバーとして設定されていたサーバーへの送信が行えない場合には、他の登録済み接続先サーバーをユーザに選択させるか、新規に登録させるようにしてもよい。また、設定されている全てのサーバーに接続できない場合には、新規サーバーの登録、指定をユーザに要求するようにしてもよい。
【００３５】
ｐｉｎｇ機能による通信環境の結果は送信テストの送受信ができるかどうかで結果が出る。送信するパケットが１００％届けば（パケット損失率が０％であれば）通信環境はよく、０％であれば通信できない。その中間の送信成功率もある。ｐｉｎｇ機能での通信結果が１００％でない場合や、予め定めた所定値未満（パケット損失率が０を超える所定値以上）の場合には表示部１０６に記憶媒体２０又は内蔵メモリに保存することを勧める警告を出力することで、撮影画像を安全に処理できるように促せる。また、パケットの損失率が０％でない場合には、ネットワークインターフェース１１１によるサーバーへのデータ送信と並行して、記憶媒体２０や内蔵メモリへの記録を行うようにしても良い。もちろん、どの程度のパケット損失率であれば記録媒体への並行記録を行うかや、並行記録を行う条件であってもユーザの指示によって並行記録を行わずにサーバーへの通信のみを実行可能に構成することもできる。
【００３６】
＜他の実施形態＞
上述の実施形態においては、ｐｉｎｇコマンドの送信回数が有限回数に設定されているか、無限回数に設定されているかによってシャッターボタンへの操作と送信動作との対応を異ならせていた。しかし、無限回数の設定を、指示している間だけ送信する「不特定回数」の設定とし、有限回数の設定時と同様に、シャッターボタンがＯＮしている間だけｐｉｎｇコマンドを送信するようにし、シャッターボタンのＯＦＦで送信を終了するようにしてもよい。
【００３７】
尚、前述した実施形態の機能を実現するソフトウェアのプログラムを、記録媒体から直接、或いは有線／無線通信を用いて当該プログラムを実行可能なコンピュータを有するシステム又は装置に供給し、そのシステム或いは装置のコンピュータが該供給されたプログラムを実行することによって同等の機能が達成される場合も本発明に含む。
【００３８】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００３９】
その場合、プログラムの機能を有していれば、オブジェクトコード、インタプリタにより実行されるプログラム、ＯＳに供給するスクリプトデータ等、プログラムの形態を問わない。
【００４０】
プログラムを供給するための記録媒体としては、例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ等の光／光磁気記憶媒体、不揮発性の半導体メモリなどがある。
【００４１】
有線／無線通信を用いたプログラムの供給方法としては、コンピュータネットワーク上のサーバーに本発明を形成するコンピュータプログラムそのもの、もしくは圧縮され自動インストール機能を含むファイル等、クライアントコンピュータ上で本発明を形成するコンピュータプログラムとなりうるデータファイル（プログラムデータファイル）を記憶し、接続のあったクライアントコンピュータにプログラムデータファイルをダウンロードする方法などが挙げられる。この場合、プログラムデータファイルを複数のセグメントファイルに分割し、セグメントファイルを異なるサーバーに配置することも可能である。
【００４２】
つまり、本発明の機能処理をコンピュータで実現するためのプログラムデータファイルを複数のユーザに対してダウンロードさせるサーバー装置も本発明に含む。
【００４３】
また、本発明のプログラムを暗号化してＣＤ−ＲＯＭ等の記憶媒体に格納してユーザに配布し、所定の条件を満たしたユーザに対して暗号化を解く鍵情報を、例えばインターネットを介してホームページからダウンロードさせることによって供給し、その鍵情報を使用することにより暗号化されたプログラムを実行してコンピュータにインストールさせて実現することも可能である。
【００４４】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【００４５】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現され得る。
【図面の簡単な説明】
【００４６】
【図１】本発明の実施形態に係る撮像装置の一例としてのデジタルカメラの構成の一例を示すブロック図である。
【図２】本発明の実施形態のデジタルカメラにおいて、ｐｉｎｇ機能の設定を行うためのｐｉｎｇ設定メニューの例を示す図である。
【図３】本発明の実施形態のデジタルカメラにおけるｐｉｎｇコマンドの送信回数の設定内容とシャッターボタンとの関係を示す図である。
【図４】本発明の実施形態のデジタルカメラにおける、撮影優先設定の有無とｐｉｎｇ機能の動作の関係を説明するフローチャートである。
【図１】
2006086654.tif 000003
【図２】
2006086654.tif 000004
【図３】
2006086654.tif 000005
【図４】
2006086654.tif 000006